(57)【要約】扉（１１）を備えた冷蔵庫（１００）が提供される。冷蔵庫（１００）は、扉（１１）の前面を構成する前面板（５１）と扉（１１）の内部に充填された断熱材との間に隙間を設けて取り付けられる発熱部（５０）と、を備える。隙間に連通して発熱部で生じた熱を排出するための排出口（１１１Ｃ）を扉（１１）の上部に設ける。
2019207845.tif 000002
【特許請求の範囲】
【請求項１】
扉を備えた冷蔵庫であって、
前記扉の前面を構成する前面板と扉の内部に充填された断熱材との間に隙間を設けて取り付けられる発熱部と、を備え、
前記隙間に連通して前記発熱部で生じた熱を排出するための排出口を前記扉の上部に設ける、冷蔵庫。
【請求項２】
前記扉を前記冷蔵庫の本体に回動可能に取り付けるためのヒンジをさらに備え、
前記ヒンジが中空に形成されることによって前記排出口が設けられる、請求項１に記載の冷蔵庫。
【請求項３】
前記ヒンジは金属で形成され、
前記ヒンジは前記冷蔵庫に固設されるための板状部を含む、請求項２に記載の冷蔵庫。
【請求項４】
前記発熱部は、前記扉の前面板に取り付けられるディスプレイである、請求項１から３のいずれか１項に記載の冷蔵庫。
【請求項５】
前記発熱部から上方に配設される配線に防水トラップ用のＵ字部を設ける、請求項１から４のいずれか１項に記載の冷蔵庫。
【請求項６】
前記発熱部から下方に配設される配線に防水トラップ用のＵ字部を設ける、請求項１から５のいずれか１項に記載の冷蔵庫。
【請求項７】
前記扉の下部に、前記隙間に空気を吸入するための吸入口を設ける、請求項１から６のいずれか１項に記載の冷蔵庫。
【発明の詳細な説明】
【技術分野】
【０００１】
本発明は、冷蔵庫の技術に関し、特に扉にディスプレイなどの発熱部を有する冷蔵庫の技術に関する。
【背景技術】
【０００２】
従来から、扉にディスプレイが搭載された冷蔵庫が知られている。たとえば、特開２０１６−５６９６４号公報（特許文献１）には、冷蔵庫が開示されている。特許文献１によると、貯蔵室を開閉する扉に表示装置が設けられ、扉内に、表示装置を収納する収納空間を形成する収納部が設けられる。収納部に、表示装置が発した熱を排出するための排出口と、外部の空気を収納空間に取り入れるための取入口とが形成される。排出口は、扉の一側の側面に形成され、取入口は、扉の他側の側面に形成される。収納部の天面は、排出口がある側面に向かって上り傾斜に形成される。
【先行技術文献】
【特許文献】
【０００３】
【特許文献１】特開２０１６−５６９６４号公報
【発明の概要】
【発明が解決しようとする課題】
【０００４】
ディスプレイの大型化、高輝度化に伴い、ディスプレイからの発熱量は増加する傾向にある。特許文献１に開示の構成では、表示装置が発した熱を排出するための排出口が扉の側面に形成されるため、ユーザが扉を開閉する際に排出口近傍に触れた際に、排出口から排出された熱気または熱気による扉の側面の加熱状態をユーザが感じてしまい不快となることがある。また、扉の意匠性や使用性から排出口をあまり大きくすることができないため、十分に排熱できないおそれがある。【０００５】
そこで、本発明は、効率的に熱を排出することができる冷蔵庫を提供することを目的とする。
【課題を解決するための手段】
【０００６】
この発明のある態様に従うと、扉を備えた冷蔵庫が提供される。冷蔵庫は、扉の前面を構成する前面板と扉の内部に充填された断熱材との間に隙間を設けて取り付けられる発熱部と、を備える。隙間に連通して発熱部で生じた熱を排出するための排出口を扉の上部に設ける。
【発明の効果】
【０００７】
このように、本発明によれば、効率的に熱を排出することができる冷蔵庫が提供されるようになる。
【図面の簡単な説明】
【０００８】
【図１】第１の実施の形態にかかる冷蔵庫１００の外観を示す正面斜視図である。
【図２】第１の実施の形態にかかる扉本体１１１を示す正面斜視図と、排出口１１１Ｃ近傍の拡大図と、吸入口１１１Ｄ近傍の拡大図である。
【図３】第１の実施の形態にかかる冷蔵庫１００の本体を構成する筐体１０１と冷蔵室扉１１との組み付け構造を示す上方斜視図とヒンジ部の拡大図である。
【図４】第１の実施の形態にかかる冷蔵室扉１１を連結部１６０に組み付けた後のヒンジ部の構成を示す断面図である。
【図５】第２の本実施の形態にかかる冷蔵庫１００の冷蔵室扉１１の下方斜視図である。
【図６】第２の実施の形態にかかる冷蔵室扉１１の前方斜視図である。
【図７】第２の実施の形態にかかる扉本体２１１の吸入通路２１１Ｄの近傍を示す正面断面図である。
【図８】第４の実施の形態にかかる冷蔵庫１００の外観を示す正面斜視図である。
【図９】第４の実施の形態にかかる扉１１を前面板を除いて正面視した図である。
【図１０】第４の実施の形態にかかる扉１１の断熱材充填前の状態を示す背面斜視図である。
【発明を実施するための形態】
【０００９】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１０】
［第１の実施の形態］
本実施の形態では、冷蔵庫扉（例えば、冷蔵室の扉）に表示パネルを搭載する冷蔵庫を例に挙げて説明する。
【００１１】
＜冷蔵庫の全体構成＞
図１には、本実施の形態にかかる冷蔵庫１００の正面側の構成を示す。冷蔵庫１００は、上段に第１の冷蔵室、中段に第２の冷蔵室（野菜室）、および下段に第１の冷凍室を備えている。また、冷蔵庫１００の中段には、製氷室および第２の冷凍室も備えられている。
【００１２】
なお、冷蔵庫１００における各貯蔵室の構成や配置は、上記のものに限定はされない。各貯蔵室の構成および配置は、冷蔵庫の容量、用途などに応じて適宜変更することができる。
【００１３】
また、上段の第１の冷蔵室には、左右に分割された観音開き（フレンチドア）式の冷蔵室扉１１（右側の冷蔵室扉）及び１２（左側の冷蔵室扉）が設けられている。中段の第２の冷蔵室（野菜室）には、引き出し式の冷蔵室扉１３が設けられている。下段の第１の冷凍室には、引き出し式の冷凍室扉１４が設けられている。また、中段の製氷室および第２の冷凍室には、引き出し式の製氷室扉１５または冷凍室扉１６がそれぞれ設けられている。
【００１４】
なお、冷蔵庫１００における各扉の構成は、上記のものに限定はされない。各貯蔵室の扉は、各貯蔵室の構造、用途、位置などに応じて、例えば、観音開き方式、左右の何れかの端部から開閉する方式、左右両側から開閉可能な方式、引き出し方式などを適宜採用することができる。
【００１５】
本実施形態では、扉が設けられている面を冷蔵庫の前面（正面）とする。そして、前面を基準にして、冷蔵庫１００を通常の状態で設置した場合に存在する位置に基づいて、冷蔵庫１００の各面を、上面、側面、背面、及び底面とする。したがって、本明細書中において、「前面側」または「背面側」と規定するときは、任意の位置を基準として前面又は背面が設けられている側、あるいは、任意の位置から前面又は背面へ向かう方向のことを意味する。また、本明細書では、冷蔵庫１００の前面から背面へ向かう方向および冷蔵庫１００の背面から前面へ向かう方向を、前後方向と呼ぶ。また、本明細書では、冷蔵庫１００の一方の側面から他方の側面へ向かう方向を、左右方向と呼ぶ。さらに、本明細書においては、原則として、冷蔵庫または冷蔵室扉の「右側」とは、冷蔵庫の正面から見て右側に当たる側のことを意味し、冷蔵庫または冷蔵室扉の「左側」とは、冷蔵庫の正面から見て左側に当たる側のことを意味する。
【００１６】
右側の冷蔵室扉（扉）１１には、ディスプレイ５０が設置されている。ディスプレイ５０は、冷蔵室扉１１の最表面に配置されているガラスパネル５１の裏面に取り付けられている。ディスプレイ５０は、例えば、液晶ディスプレイ、有機ＥＬディスプレイなどの表示パネル部材を含んで構成することができる。
【００１７】
ディスプレイ５０には、冷蔵庫の運転情報、冷蔵庫の制御情報、庫内在庫情報、カレンダ情報、レシピ情報、伝言情報などを表示させることができる。また、例えば、冷蔵庫１００の庫内側に小型カメラ（図示せず）が備えられている場合には、小型カメラで撮影された庫内の映像をディスプレイ５０に表示させることもできる。また、冷蔵庫１００がインターネット接続されている場合には、インターネットを介して得られる各種ホームページの情報を表示させることもできる。また、表示パネルの表示面や縁部などにタッチセンサ等の入力デバイスを設けることで、ディスプレイ５０から表示内容に沿った入力操作を行うこともできる。
【００１８】
冷蔵室扉１１および冷蔵室扉１２には、タッチセンサ（接触検知部）９０がそれぞれ設けられている。タッチセンサ９０は、各冷蔵室扉１１・１２の開放端部側に配置されている。タッチセンサ９０は、人体等が接触したことを検知する。そして、例えば、右側の冷蔵室扉１１のタッチセンサ９０にユーザの手などが触れると、冷蔵室扉１１が開くように制御される。同様に、左側の冷蔵室扉１２のタッチセンサ９０にユーザの手などが触れると、冷蔵室扉１２が開くように制御される。
【００１９】
冷蔵室扉１１は、連結部１６０を介して、冷蔵庫１００の本体に対して回動可能に構成される。すなわち、冷蔵室扉１１が連結部１６０を軸にして回動することによって、冷蔵庫１００の冷蔵室すなわち収納スペースが解放されたり閉じられたりする。
【００２０】
図２は、本実施の形態にかかる冷蔵室扉１１のガラスパネル５１およびディスプレイ５０の内側、すなわち扉本体１１１を示す正面図である。本実施の形態では、ガラスパネル５１は、冷蔵室扉１１の本体部分となる扉本体１１１から取り外し可能に構成されており、扉本体１１１の前面の略全体を覆うように構成される。そのため、冷蔵室扉１１の表面全体をフラットな構成とすることができ、冷蔵庫１の美観を向上させることができる。扉本体１１１の内部には発泡ウレタンなどの断熱材が充填されており、扉本体１１１によって、冷蔵室扉１１の断熱性が確保されている。したがって、本実施の形態にかかる扉本体１１１の前面には、ディスプレイ５０の背面と扉本体１１１との間に、ディスプレイ５０を収納するための隙間１１１Ａが形成されている。そして、隙間１１１Ａの上端部から扉本体１１１の上端部まで、排熱用の通路１１１Ｂが形成される。
【００２１】
より詳細には、本実施の形態においては、通路１１１Ｂは、隙間１１１Ａの上端部の右端部から、扉本体１１１の上端部の右端部まで、形成される。通路１１１Ｂの上端部は、排出口１１１Ｃとして、冷蔵室扉１１の冷蔵庫１００の本体に対する連結部１６０に到達する。
【００２２】
また、本実施の形態においては、扉本体１１１の左側面には吸入口１１１Ｄが設けられる。吸入口１１１Ｄは、ディスプレイ５０などの発熱部の下部、より好ましくは、ディスプレイ５０などの発熱部よりも下方に形成されており、図２では、隙間１１１Ａの下端部の左端部近傍が吸入口１１１Ｄを介して冷蔵室扉１１の外部と連通している。なお、吸入口１１１Ｄは図２に示す以外の形状であってもよく、また、扉本体１１１の左側面を構成する蓋などの部品との隙間を流用することもできる。
【００２３】
図３は、本実施の形態にかかる冷蔵庫１００の本体を構成する筐体１０１と冷蔵室扉１１との組み付け構造を示す上方斜視図である。図４は、冷蔵室扉１１を連結部１６０に組み付けた後のヒンジ部の構成を示す断面図である。図３および図４を参照して、本実施の形態においては、扉本体１１１の上端部に設けた排出口１１１Ｃは、連結部１６０のヒンジを構成するための金属板１６１に組み付けられる。より詳細には、本実施の形態においては、扉本体１１１の上端部に排出口１１１Ｃが形成され、排出口１１１Ｃに金属板１６１のピン部１６１Ｘが回動可能に挿入され、当該ピン部１６１Ｘの内側が中空に形成されることによって排出口１１１Ｃが金属板１６１を介して外気に連通する。
【００２４】
このように構成されているため、本実施の形態にかかる冷蔵室扉１１は、ディスプレイ５０などの電装部品で発生した熱が、冷蔵室扉１１の上部の排出口１１１Ｃからスムーズに排出されるようになる。そして、本実施の形態においては、図３や図４に示すように、排出口１１１Ｃに回動可能に組み付けられる金属板１６１は、ピン部１６１Ｘと結合する水平方向に幅広の板状部を有する。したがって、排出口１１１Ｃから排出する熱によって排出口１１１Ｃの内側に挿入されたピン部１６１Ｘが加熱された場合に、その熱が幅広の板状部に伝って効率的に外気へ排熱される。また、図３に示すように、連結部１６０の金属板１６１は不図示のネジなどによって筐体１０１に面着して固定されるため、金属板１６１へ伝った熱が筐体１０１へも拡散する。これにより、排出口１１１Ｃから排出する熱が冷蔵庫１００の上面から排熱されやすくなっている。
【００２５】
また、通路１１１Ｂと排出口１１１Ｃとにディスプレイ５０などの電装部品用の配線１３１などを挿通させることによって、当該配線をウレタン中に埋設する必要がなくなり、当該配線の交換も容易に行うことができるようになる。つまり、本実施の形態においては、排熱効率を高めながら、配線の取り換えも容易にすることができるものである。
【００２６】
［第２の実施の形態］
ディスプレイ５０などの発熱部で生じた熱を排出するための構成は、上記の実施の形態のものには限られない。
【００２７】
図５は、本実施の形態にかかる冷蔵庫１００の冷蔵室扉１１の下方斜視図である。図５を参照して、本実施の形態においては、冷蔵室扉１１の底部にスピーカ７０が搭載される。そして、本実施の形態においては、スピーカ７０の設置位置の近傍から空気を吸入する。
【００２８】
図６は、本実施の形態にかかる冷蔵室扉１１のディスプレイ５０の内側、すなわち扉本体２１１を示す正面図である。なお、説明の都合上、図６にはガラスパネル５１の裏面に取り付けられているディスプレイ５０、およびディスプレイ５０に接続される配線２３１、２３２を記載している。図６を参照して、本実施の形態にかかる扉本体２１１は、ディスプレイ５０の背面と扉本体２１１との間に隙間２１１Ａが形成されている。
【００２９】
そして、隙間２１１Ａの上端部から扉本体２１１の上端部まで、排熱用の通路２１１Ｂが形成される。より詳細には、本実施の形態においては、通路２１１Ｂは、隙間２１１Ａの上端部の右端部から、扉本体２１１の上端部の右端部まで、形成される。通路２１１Ｂの上端部は、冷蔵室扉１１の冷蔵庫１００本体に対する連結部１６０に到達し、排出口２１１Ｃを構成する。排出口２１１Ｃと連結部１６０との組み付け構成は第１の実施の形態と同様である。
【００３０】
また本実施の形態においても、図６に示すように、通路２１１Ｂと排出口２１１Ｃとにディスプレイ５０などの発熱部のための配線２３１などを挿通させることによって、配線２３１をウレタン中に埋設する必要がなくなる。つまり、本実施の形態においては、排熱効率を高めながら、配線の取り換えも容易にすることができるものである。
【００３１】
そして、排出口２１１Ｃからの各種の配線２３１が、上下方向にＵ字状に屈曲するように配置されている。これによって、扉本体２１１の上端から水が浸入してきても、屈曲部２３１Ｘで水が止められて、たとえばディスプレイ５０などの電装部品に水がかかることを防止することができる。
【００３２】
また本実施の形態においては、図６と図７に示すように、隙間２１１Ａの下端部から扉本体２１１の下端部のスピーカ７０まで、吸入通路２１１Ｄが形成される。これにより、扉本体２１１の側面に吸入口を設ける必要がなくなり、扉の外観が向上するとともに、扉の側面の吸入口から液体や小物等が隙間２１１Ａ内に侵入することを防止できる。さらに、吸入通路２１１Ｄの開口部はスピーカ７０によって隠れているため、吸入通路２１１Ｄの断面が容易に拡大可能となり、ディスプレイ５０などの電装部品で発生した熱を効率よく排出できる。
【００３３】
また、吸入通路２１１Ｄにスピーカ７０への配線２３２などを挿通させることによって、配線２３２をウレタン中に埋設する必要がなくなる。さらに、吸入通路２１１Ｄを挿通するスピーカ７０への配線２３２も、吸入通路２１１Ｄの手前において上下方向に屈曲するように配置されている。これによって、隙間２１１Ａに水が浸入してきても、屈曲部２３２Ｘで水が止められるため、たとえば配線２３２を伝ってスピーカ７０に水が到達する可能性を低減することができる。
【００３４】
さらに本実施の形態においては、図７に示すように、隙間２１１Ａの底面２１１Ｘが、斜めに形成されているため、これによっても、スピーカ７０に水が到達する可能性を低減することができる。より詳細には、隙間２１１Ａの底面２１１Ｘは、配線２３２や屈曲部２３２Ｘが配置される方が低くなるように形成されているため、配線２３２や屈曲部２３２Ｘから水が落下しても、スピーカ７０に水が到達する可能性を低減することができる。
【００３５】
［第３の実施の形態］
第２の実施の形態においては、スピーカ７０の近傍の空間から温度が低い空気を吸入して、ピン部１６１Ｘの内側から温度が高い空気を排出するものであった。しかしながら、スピーカ７０以外の冷蔵室扉１１の側壁から空気を吸入してもよいし、ピン部１６１Ｘ以外の冷蔵室扉１１の側壁から空気を排出してもよい。この場合も、空気の吸入口はディスプレイ５０などの発熱部よりも下方に形成し、空気の排出口はディスプレイ５０などの発熱部よりも上方に形成することが好ましい。
【００３６】
［第４の実施の形態］
図８〜図１０に示すように、小型のディスプレイが扉の開放端側（左側）に寄せて配置される形態であってもよい。
【００３７】
本実施の形態においては、前面板（ガラスパネル５１）は冷蔵室扉１１と一体に形成されており、ガラスパネル５１は扉１１から取り外せないように構成されている。より詳細には、本実施の形態においては、ガラスパネル５１の裏側にディスプレイ収納カバー５２を載置した後にガラスパネル５１の裏面に発泡ウレタンなどを充填して扉１１を形成する。その後、ディスプレイ５０を扉１１の側面からディスプレイ収納カバー５２内に挿入して固定する。このとき、ディスプレイ５０の背面とディスプレイ収納カバー５２との間に、隙間１１１Ａが形成される。
【００３８】
そして、ディスプレイ収納カバー５２の上端には排熱用の通路１１１Ｂが連通する。通路１１１Ｂは中空であり、一端がディスプレイ収納カバー５２の上端に、他端が排出口１１１Ｃに接続されてディスプレイ収納カバー５２と排出口１１１Ｃとを連通する。通路１１１Ｂはディスプレイ収納カバー５２とともにガラスパネル５１の裏側に設置された後に、ガラスパネル５１の裏面に発泡ウレタンなどを充填して扉１１を形成する。これにより、第１の実施の形態と同様にディスプレイ５０からの熱を効率よく排熱できる。また、通路１１１Ｂに配線を挿通することもできる。
【００３９】
なお、通路１１１Ｂは中空の管でもよく、また、ディスプレイ収納カバー５２と同様に断面Ｕ字状の部材をガラスパネル５１の裏面に載置することで中空部を形成してもよい。
【００４０】
［第５の実施の形態］
上記の実施の形態においては、発熱部としてディスプレイ５０を例に挙げて説明したが、上記の構造は、その他の部材に適用することができる。また、発熱部が冷蔵室扉１１に設けられる冷蔵庫１００を例に挙げて説明したが、上記の実施の形態の構造は、その他の扉に適用することもできる。
【００４１】
＜まとめ＞
上述の実施形態では、扉１１を備えた冷蔵庫１００が提供される。冷蔵庫１００は、扉１１の前面を構成する前面板（ガラスパネル５１）と扉１１の内部に充填された断熱材との間に隙間１１１Ａ，２１１Ａを設けて取り付けられる発熱部５０と、を備える。隙間１１１Ａ，２１１Ａに連通して発熱部５０で生じた熱を排出するための排出口１１１Ｃ，２１１Ｃを扉１１の上部に設ける。
【００４２】
好ましくは、冷蔵庫１００は、扉１１を冷蔵庫１００の本体に回動可能に取り付けるためのヒンジ１６１をさらに備える。ヒンジ１６１が中空に形成されることによって排出口が設けられる。
【００４３】
好ましくは、ヒンジ１６１は金属で形成される。ヒンジ１６１は冷蔵庫１００に固設されるための板状部を含む。
【００４４】
好ましくは、発熱部５０は、扉１１の前面板（ガラスパネル５１）に取り付けられるディスプレイである。
【００４５】
好ましくは、発熱部５０から上方に配設される配線２３１に防水トラップ用のＵ字部２３１Ｘを設ける。
【００４６】
好ましくは、発熱部５０から下方に配設される配線２３２に防水トラップ用のＵ字部２３２Ｘを設ける。
【００４７】
好ましくは、扉１１の下部に、隙間１１１Ａ，２１１Ａに空気を吸入するための吸入口２１１Ｄを設ける。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００４９】
１        ：冷蔵庫
１１      ：冷蔵室扉
１２      ：冷蔵室扉
１３      ：冷蔵室扉
１４      ：冷凍室扉
１５      ：製氷室扉
１６      ：冷凍室扉
５０      ：ディスプレイ（発熱部）
５１      ：ガラスパネル
７０      ：スピーカ
９０      ：タッチセンサ
１００    ：冷蔵庫
１０１    ：筐体
１１１    ：扉本体
１１１Ａ  ：隙間
１１１Ｂ  ：通路
１１１Ｃ  ：排出口
１６０    ：連結部
１６１    ：金属板（ヒンジ）
１６１Ｘ  ：ピン部
２１１    ：扉本体
２１１Ａ  ：隙間
２１１Ｂ  ：通路
２１１Ｃ  ：排出口
２１１Ｄ  ：吸入通路
２３１    ：配線
２３１Ｘ  ：Ｕ字部
２３２    ：配線
２３２Ｘ  ：Ｕ字部
【図１】
2019207845.tif 000003
【図２】
2019207845.tif 000004
【図３】
2019207845.tif 000005
【図４】
2019207845.tif 000006
【図５】
2019207845.tif 000007
【図６】
2019207845.tif 000008
【図７】
2019207845.tif 000009
【図８】
2019207845.tif 000010
【図９】
2019207845.tif 000011
【図１０】
2019207845.tif 000012
【国際調査報告】
2019207845.tif 000013
2019207845.tif 000014
2019207845.tif 000015
2019207845.tif 000016